(57)【要約】【課題】ディスプレイをいたずら等から保護することが可能な表示装置を提供する。【解決手段】画像を表示する表示装置において、ディスプレイに備えられ、同ディスプレイに対する接触を検出するタッチパネルと、前記検出された接触が通常の操作に該当するか否かを判定する判定部と、前記接触が通常の操作に該当しないと判定された場合に、所定の警告を出力させる警告選択部と、を有する。【選択図】図１
2014016692.tif 000002
【特許請求の範囲】
【請求項１】
画像を表示する表示装置において、
ディスプレイに備えられ、同ディスプレイに対する接触を検出するタッチパネルと、
前記検出された接触が通常の操作に該当するか否かを判定する判定部と、
前記接触が通常の操作に該当しないと判定された場合に、所定の警告を出力させる警告選択部と、を有する表示装置。
【請求項２】
前記タッチパネルは、前記ディスプレイに対する接触位置を検出し、
前記判定部は、前記検出された接触位置に基づいて、前記判定を行う、請求項１に記載の表示装置。
【請求項３】
前記タッチパネルは、前記ディスプレイに対する接触位置及び接触強度を検出し、
前記判定部は、前記検出された接触位置及び前記接触強度に基づいて、前記判定を行う、請求項１に記載の表示装置。
【請求項４】
前記判定部は、前記タッチパネルの前記操作を受付ける位置とは異なる位置に接触された回数が所定期間に所定回数を超える場合に、前記接触が通常の操作に該当しないと判定する、請求項２又は請求項３のいずれかに記載の表示装置。
【請求項５】
前記判定部は、検出された前記接触強度が所定値を超える場合に、前記接触が通常の操作に該当しないと判定する、ことを特徴とする請求項３に記載の表示装置。
【請求項６】
前記判定部は、少なくとも前記接触位置、又は前記接触強度に基づいて前記接触の危険度を判定し、
前記警告選択部は、判定された前記接触の危険度が高い場合は、当該表示装置に対する電源供給を遮断させる、ことを特徴とする請求項２から請求項５のいずれか一項に記載の表示装置。
【請求項７】
前記判定部は、前記ディスプレイの周端部への接触が検出された場合、前記危険度が高いと判定する、請求項６に記載の表示装置。
【請求項８】
ネットワークを通じてメールを送信するメール送信部を有し、
前記警告選択部は、判定された前記接触の危険度が高い場合、前記メール送信部に、予め設定されたアドレスにメールを送信させる、請求項６又は請求項７のいずれかに記載の表示装置。
【発明の詳細な説明】
【技術分野】
【０００１】
本発明は、表示装置に関し、タッチパネルを備える表示装置に関する。
【背景技術】
【０００２】
傾斜角度を判断するセンサーを備え、このセンサーにより表示装置の傾斜角度を検出し、検出角度に応じた警告を出力するものが知られている（例えば、特許文献１、２参照）。
【０００３】
また、電子機器の電源プラグが引き抜かれようとした場合に、警告を表示するものが知られている（例えば、特許文献３参照）。
【先行技術文献】
【特許文献】
【０００４】
【特許文献１】特開２００９−１０９６５０号公報
【特許文献２】特開２００６−３１９８７７号公報
【特許文献３】特開２０１０−０９２２４９号公報
【発明の概要】
【発明が解決しようとする課題】
【０００５】
小さな子供がいたずらなどによりディスプレイを触ったり叩いたりすることで、ディスプレイが汚れたり傷ついたりすることがある。そのため、表示装置においてこのようないたずらからディスプレイを保護する機能が求められていた。
【０００６】
本発明は、上記課題にかんがみてなされたもので、ディスプレイをいたずら等から保護することが可能な表示装置の提供を目的とする。
【課題を解決するための手段】
【０００７】
上記課題を解決するために、本発明では、画像を表示する表示装置において、ディスプレイに備えられ、同ディスプレイに対する接触を検出するタッチパネルと、前記検出された接触が通常の操作入力に該当するか否かを判定する判定部と、前記接触が通常の操作入力に該当しないと判定された場合に、所定の警告を出力させる警告選択部と、を有する。
【０００８】
上記のように構成された発明では、ディスプレイへの接触を検出可能なタッチパネルを備える。また判定部は、検出された接触が通常の操作入力に該当するか否かを判定する。そして、警告選択部は、判定結果に応じて所定の警告を出力させる。例えば、危険度が高い接触に対しては、ディスプレイに警告文を表示するなどして、何者かがこれ以上ディスプレイに接触させないようにする。
そのため、ディスプレイに対する接触の状態に応じて警告を出力することができ、ディスプレイをいたずらから保護することが可能となる。
【０００９】
また、前記タッチパネルは、前記ディスプレイに対する接触位置を検出し、前記判定部は、前記検出された接触位置に基づいて、前記判定を行う構成としてもよい。
【００１０】
接触の状態を接触位置に応じて判定することで、例えば、ディスプレイの所定部への接触を通常の操作に該当しないと見なすことができる。そのため、警告をより適切に選択することが可能となる。
【００１１】
また、前記タッチパネルは、前記ディスプレイに対する接触位置及び接触強度を検出し、前記判定部は、前記検出された接触位置及び前記接触強度に基づいて、前記判定を行う、構成としてもよい。
【００１２】
接触位置と接触強度とをもとに操作を判別することで、例えば、接触される位置と強度との組合せにより、操作の状態を詳細に判定することができる。そのため、警告をより適切に選択することが可能となる。
【００１３】
そして、前記判定部は、前記タッチパネルの前記操作を受付ける位置とは異なる位置に接触された回数が所定期間に所定回数を超える場合に、前記接触が通常の操作に該当しないと判定する、構成としてもよい。
【００１４】
上記のような構成とすることで、タッチパネルが正しく使用されておらず、且つディスプレイに対する接触間隔が短いものだけを危険度の判断対象とすることができるため、より効果的にディスプレイに対する危険度を判別することができる。
【００１５】
さらに、前記判定部は、検出された前記接触強度が所定値を超える場合に、前記接触が通常の操作に該当しないと判定する構成としてもよい。
【００１６】
上記のように構成された発明では、大きな力でディスプレイに接触される場合に対しても、表示装置を保護することができる。
【００１７】
また、前記判定部は、少なくとも前記接触位置、又は前記接触強度に基づいて前記接触の危険度を判定し、前記警告選択部は、判定された前記接触の危険度が高い場合は、当該表示装置に対する電源供給を遮断させる構成としてもよい。
【００１８】
上記のように構成された発明では、電源供給を遮断することで、表示装置が転倒した場合に安全を確保することができる。
【００１９】
そして、前記判定部は、前記ディスプレイの周端部への接触が検出された場合、前記危険度が高いと判定する構成としてもよい。
上記のように構成された発明では、表示装置の転倒を予防することができる。
【００２０】
そして、ネットワークを通じてメールを送信するメール送信部を有し、前記警告選択部は、判定された前記接触の危険度が高い場合、前記メール送信部に、予め設定されたアドレスにメールを送信させる、構成としてもよい。
上記のように構成された発明では、接触の危険度が高い場合に、メールを送信することで、ユーザーに対して通知を行うことができる。
【図面の簡単な説明】
【００２１】
【図１】表示装置１の構成を示すブロック図である。
【図２】タッチパネルの機能を説明する図である。
【図３】表示装置１が実行するプロテクト機能を説明するフローチャートである。
【図４】ステップＳ２の処理を詳細に示すフローチャートである。
【図５】ディスプレイ１１における接触位置（座標）を説明する図である。
【図６】ステップＳ２８により実行される処理を詳細に説明するフローチャートである。
【図７】第２の実施形態に係る表示装置１の構成を示すブロック図である。
【図８】第２の実施形態に係る、図４のステップＳ２８において実行される処理を説明するフローチャートである。
【発明を実施するための形態】
【００２２】
以下、下記の順序に従って本発明の実施形態を説明する。
１．第１の実施形態：
２．第２の実施形態：
３．その他の実施形態：
【００２３】
１．第１の実施形態： 
以下、この発明に係る表示装置を具体化した第１の実施の形態について説明する。図１は、表示装置１の構成を示すブロック図である。また、図２は、タッチパネルの機能を説明する図である。
【００２４】
図１に示す表示装置１は、液晶型の表示装置である。この表示装置１では、ディスプレイ１１により画像を表示させることができる。また、ディスプレイ１１は、タッチパネルとしても機能する。そのため、ユーザーがディスプレイ１１に表示されたアイコンに接触することで、所定の入力を表示装置１に行うことができる。
【００２５】
表示装置１は、ディスプレイ１１、ディスプレイ・コントローラー１２、制御部１３、ネットワークＩ／Ｆ１４、ＯＳＤ部１５、入力Ｉ／Ｆ１６、電源供給回路１７、バス１８、音声出力部１９、を備えている。そして、ディスプレイ１１には、タッチパネルモジュール２０を内蔵している。
【００２６】
ディスプレイ・コントローラー１２は、映像信号や同期信号をディスプレイ１１に出力し、同ディスプレイ１１の駆動を制御する。ディスプレイ・コントローラー１２は、バス１８を通じてネットワークＩ／Ｆ１４や、入力Ｉ／Ｆ１６と接続されている。そのため、ネットワークＩ／Ｆ１４や入力Ｉ／Ｆ１６からバス１８を通じてデータの供給を受ける。また、ディスプレイ・コントローラー１２は、バス１８を通じてＯＳＤ部１５とも接続されており、ＯＳＤ部１５から操作アイコンに応じたＯＳＤデータがバス１８を通じてディスプレイ・コントローラー１２に出力される。
【００２７】
ディスプレイ１１は、液晶型のディスプレイ１１である。また、ディスプレイ１１は、ディスプレイ・コントローラー１２とＬＶＤＳケーブル３０を通じて接続されている。そのため、ディスプレイ・コントローラー１２から供給される映像信号及び同期信号に基づいて、各画素を駆動させる。
【００２８】
さらに、ディスプレイ１１は、タッチパネルモジュール２０を備えている。タッチパネルモジュール２０は、ディスプレイ１１のパネル前部に配置されるタッチパネル２１や、このタッチパネル２１からの信号を制御するタッチパネルコントローラー２２と、を備えている。タッチパネル２１は、抵抗膜方式や、静電容量方式を採用することができる。本実施形態では、抵抗膜方式を例に説明を行う。また、タッチパネル２１は、ディスプレイ１１の内部に実装されるインセル方式であってもよい。
【００２９】
タッチパネル２１は、ディスプレイ１１の全面に渡って配置される一組の透明電極（上電極、下電極）を備える。また、上電極と下電極はそれぞれ異なる電圧勾配を持つ。そのため、タッチパネル２１に対して操作（押圧）が行われると、上電極と下電極とが接触し、電圧変化を生じさせる。この電圧変化はＸ、Ｙ方向における座標に対応しており、タッチパネルコントローラー２２は、この電圧変化に応じた信号を出力する。
【００３０】
タッチパネルコントローラー２２は、タッチパネル２１からの信号を受信し、この信号から接触位置（座標）を算出する。また、タッチパネルコントローラー２２は、制御部１３に接続されており、上記算出した接触位置を特定するための検出信号を制御部１３に出力する。
【００３１】
ネットワークＩ／Ｆ１４は、表示装置１をインターネット等のネットワークに接続する。そのため、表示装置１は、ネットワーク上に接続されたサーバー等と接続を確立し、このホストサーバーとの間で通信を行なうことができる。また、接続が確立されたサーバーがメールサーバーである場合、表示装置１はネットワークＩ／Ｆ１４を通じてメールの送受信を行うことができる。
【００３２】
入力Ｉ／Ｆ１６は、テレビジョン放送データを取得するチューナー、ＵＳＢインタフェース、更には、ＨＤＭＩインタフェース等により構成される。
また、音声出力部１９は、アンプやスピーカーを備えており、警告音を出力することができる。
【００３３】
電源供給回路１７は、ディスプレイ１１、ディスプレイ・コントローラー１２、制御部１３、ネットワークＩ／Ｆ１４、ＯＳＤ部１５、入力Ｉ／Ｆ１６、音声出力部１９、タッチパネルモジュール２０の各部に電源を供給する。また、電源供給回路１７は、制御部１３から出力されるＰ＿ｏｆｆ信号により各部への電源供給を遮断することができる。
【００３４】
制御部１３は、表示装置１の駆動を統合的に制御する。制御部１３は、ＣＰＵ、ＲＯＭ、ＲＡＭ、更にはタイマー等を備えて構成されている。また、制御部１３は、バス１８を通じて各部に接続されている。そして、制御部１３は、ＲＯＭに記録されたプログラムを実行することで、検出信号受信部１３ａ、判定部１３ｂ、警告選択部１３ｃの各機能を実現する。
【００３５】
検出信号受信部１３ａは、タッチパネルモジュール２０から出力される検出信号を受信し、検出信号に応じた制御信号をバス１８を通じて各部に送信する。図２に示すように、ディスプレイ１１に表示された操作用アイコン１０１〜１０４のいずれかにユーザーが接触すると、検出信号受信部１３ａは、この操作用アイコン１０１〜１０４の接触により生成された検出信号を受信する。例えば、操作用アイコン１０１が接触された場合、操作用アイコン１０１の座標を示す検出信号が検出信号受信部１３ａに入力する。この場合、検出信号受信部１３ａは、この検出信号をもとに接触位置を特定し、入力切り替えを行うための制御信号をバス１８を通じて入力Ｉ／Ｆ１６に命令する。
【００３６】
判定部１３ｂと警告選択部１３ｃとは、表示装置１におけるプロテクト機能を実現する。このプロテクト機能では、幼児等がディスプレイ１１に触ることで、ディスプレイ１１が汚れたり傷ついたりするのを予防することができる。
具体的には、判定部１３ｂは、タッチパネルモジュール２０が操作されることで出力される検出信号に応じて、ディスプレイ１１に対する接触が通常の操作に関するものか否かを判定する。また、警告選択部１３ｃは、判定結果に応じて所定の警告を各部に実行させる。
【００３７】
図３は、表示装置１が実行するプロテクト機能を説明するフローチャートである。第１の実施形態では、プロテクト機能は、ディスプレイ１１に対する接触位置に応じて判定を行い、判定結果に応じて警告等を出力する。また、プロテクト機能の実行の有無は、ユーザーの操作に応じて切替え可能である。
【００３８】
表示装置１が駆動している状態で、プロテクト機能が設定されている場合（ステップＳ１：ＹＥＳ）、ステップＳ２では、制御部１３によるプロテクト機能が実行される。
一方、プロテクト機能が設定されていない場合（ステップＳ１：ＮＯ）、制御部１３はステップＳ２に進まない。
【００３９】
また、本実施形態では、プロテクト機能に加えて、ディスプレイ１１の傾き検出機能を備える。傾き検出機能が設定されている場合（ステップＳ３：ＹＥＳ）、ディスプレイ１１の傾きを図示しない傾き検出センサーをもとに判断し、傾きが一定の値以上である場合は警告を出力する（ステップＳ４）。
【００４０】
以下、図３のステップＳ２により実行されるプロテクト機能について詳細に説明を行う。図４は、ステップＳ２の処理を詳細に示すフローチャートである。
【００４１】
ステップＳ２１では、制御部（判定部１３ｂ）１３は、検出信号が入力されたか否かを判定する。即ち、何者かがディスプレイ１１に接触した場合、タッチパネルコントローラー２２から検出信号が制御部１３に出力される。そのため、判定部１３ｂは検出信号を受信すると（ステップＳ２１：ＹＥＳ）、ステップＳ２２では、タイマーを用いた計時を開始する。
【００４２】
ステップＳ２３では、判定部１３ｂは、タッチパネル２１が現在、使用されているか否かを判定する。例えば、ディスプレイ１１に操作アイコン（図２）が表示されている場合、判定部１３ｂはタッチパネル２１が使用されていると判定する。そのため、ディスプレイ１１に操作アイコンが表示されておらず、タッチパネルが使用されていない場合（ステップＳ２３：ＮＯ）、ステップＳ２８に進み、警告選択部１３ｃは、危険度別の警告処理を選択する。なお、ステップＳ２８における処理は後述する。
【００４３】
一方、タッチパネルが使用されている場合（ステップＳ２３：ＹＥＳ）、ステップＳ２４では、判定部１３ｂはディスプレイ１１に対する接触位置（座標）が正しい位置か否かを判定する。
図５は、ディスプレイ１１における接触位置（座標）を説明する図である。図５（ａ）に示すように、タッチパネル２１が使用される場合、操作アイコンが存在する領域（図５（ａ）のＡ領域）内が正常な接触位置となる。そのため、接触位置が領域Ａ以外である場合、判定部１３ｂは正常な操作が行われていないと判定し、この接触を不適切な接触としてカウントする（ステップＳ２５）。接触位置の判定は、例えば、検出信号により特定される座標を予め記録された座標と比較することで判定する。
【００４４】
接触位置が適切な位置である場合（ステップＳ２４：ＹＥＳ）、判定部１３ｂはカウントを行わない。そして、判定部１３ｂによるカウントは、タイマーによる計時が所定期間Ｔ１を経過するまで（ステップＳ２６：ＹＥＳ）、行われる。
【００４５】
そして、計時された時間が所定期間Ｔ１を経過し（ステップＳ２６：ＹＥＳ）、カウントされた接触回数が所定数Ｎを超えた場合（ステップＳ２７：ＹＥＳ）、判定部１３ｂは、ステップＳ２８に進み、ディスプレイ１１に対して適切な操作における接触が行われていないと判定する。これは、ある時間Ｔ１内にカウントされた接触回数が所定数Ｎを超えない場合は、ディスプレイ１１に偶発的に接触が行われた可能性があるからである。また、ディスプレイ１１に対する接触間隔がある程度の期間を空けて行われる場合は、接触間隔が短い場合に比べて、表示装置１を転倒させる危険性も低くなる。そのため、ある時間Ｔ１でカウントされた接触回数が所定数Ｎを超えない場合（ステップＳ２７：ＮＯ）、判定部１３ｂは、警告を出力することなくステップＳ２９に進む。
【００４６】
図６は、ステップＳ２８により実行される処理を詳細に説明するフローチャートである。第１の実施形態では、検出信号が示す接触位置に応じて、２段階の危険度が判定される。
【００４７】
まず、ステップＳ３１では判定部１３ｂは、検出信号により得られた接触位置がディスプレイ１１の周端部に該当するか否かを判断する。一例として、判定部１３ｂは、接触位置がディスプレイ１１の上部である場合（ステップＳ３１：ＹＥＳ）、この接触が最も危険度が高いと判断する。ここで、ディスプレイの上部とは、図５（ｂ）に示すようにディスプレイ１１の中心線から上方である以外にも、表示装置１の重心を考慮した場合に、転倒する可能性が高い位置をもとにその位置が決定される。なお、接触回数を複数回に渡りカウントする場合、接触位置の少なくとも１つがディスプレイ１１の上部に対応する場合、ステップＳ３２に進む構成としてもよい。それ以外にも、カウントされた接触位置の全てが上部である場合、又は過半数が上部である場合にステップＳ３２に進む構成としてもよい。
【００４８】
そして、ステップＳ３２では、警告選択部１３ｃは、ネットワークＩ／Ｆ１４によりネットワークとの接続を確立させ、登録されているメールアドレスに対してメールを送信させる。例えば、携帯端末によりこのメールを受信したユーザーは、表示装置１にいたずら等がされていることを判断することができる。そのため、ステップＳ３２における処理により本発明のメール送信部が実現される。
また、メールの送信とともに、警告選択部１３ｃが、音声出力部１９による警告音、及び警告文の表示を行わせるものであってもよい。
【００４９】
そして、ステップＳ３３では、警告選択部１３ｃは、電源供給回路１７に電源供給を遮断させる。これは、表示装置１が転倒した場合に、電源を遮断して安全性を確保するためである。
【００５０】
一方、接触位置がディスプレイ１１の上部でない場合（ステップＳ３１：ＮＯ）、判定部１３ｂは、ディスプレイ１１に対する接触は危険度が低いと判定する。そのため、ステップＳ３４では、警告選択部１３ｃはディスプレイ１１に警告文を表示させ、音声出力部１９に警告音を出力させる。接触された位置がディスプレイ１１の上部でなければ、表示装置１が転倒する可能性が低いため、警告文のみを表示して、いたずらを行っている者に対して注意を行うためである。
【００５１】
そして、図４のステップＳ２９に進み、判定部１３ｂはタイマーによる計時をクリアし、カウント数をクリアする。
【００５２】
以上説明したようにこの第１の実施形態では、ディスプレイ１１にいたずら等がされた場合に、接触の状態に応じて警告等を行うことができる。そのため、ディスプレイ１１を傷や破損等から保護することができる。また、接触位置に応じて警告を選択するため、適切な警告を出力することができる。
【００５３】
２．第２の実施形態：
第２の実施形態では、第１の実施形態と比べて、接触位置に加えて接触強度に基づいて、警告を行う構成において異なる。
【００５４】
図７は、第２の実施形態に係る表示装置１の構成を示すブロック図である。表示装置１は、第１の実施の形態同様、ディスプレイ１１、ディスプレイ・コントローラー１２、制御部１３、ネットワークＩ／Ｆ１４、ＯＳＤ部１５、入力Ｉ／Ｆ１６、電源供給回路１７、バス１８、音声出力部１９、タッチパネルモジュール２０を備える。
加えて、第２の実施形態では、タッチパネル２１は、圧力検出部２３を備える。この圧力検出部２３は、例えば圧力検出センサーにより構成される。そのため、検出信号には接触位置に応じた情報に加え、接触強度に応じた情報が含まれる。制御部１３は、この検出信号を受信することで、タッチパネルの接触強度に応じた情報を得ることができる。
【００５５】
次に、第２の実施形態に係るプロテクト機能を説明する。
図８は、第２の実施形態に係る、図４のステップＳ２８において実行される処理を説明するフローチャートである。第２の実施形態では、判定部１３ｂは、検出信号をもとに取得される接触位置と接触強度とに応じて判定を行う。
【００５６】
ディスプレイ１１に対する接触に基づく検出信号の入力があり、この検出信号により得られた接触強度が所定値以上である場合（ステップＳ１３１：ＹＥＳ）、判定部１３ｂは、ステップＳ１３２において、接触位置の判断を行う。接触位置がディスプレイ１１の上部に該当する場合（ステップＳ１３２：ＹＥＳ）、判定部１３ｂは、ディスプレイ１１に対する接触は最も危険度が高いと判断する。
【００５７】
そのため、ステップＳ１３３では、警告選択部１３ｃは、ネットワークＩ／Ｆ１４によりネットワークとの接続を確立させ、登録されているメールアドレスに対してメールを送信する。そして、ステップＳ１３４では、警告選択部１３ｃは、電源供給回路１７に電源供給を遮断させる。無論、警告を出力した後に電源供給を遮断するものであってもよい。
【００５８】
また、検出信号に基づいて得られた接触強度が所定値以上であるが（ステップＳ１３１：ＹＥＳ）、接触位置がディスプレイ１１の上部に該当しない場合（ステップＳ１３２：ＮＯ）、又は接触強度が所定値以下であり（ステップＳ１３１：ＮＯ）、接触位置がディスプレイ１１の上部に該当する場合（ステップＳ１３５：ＹＥＳ）、判定部１３ｃは、ディスプレイ１１に対する接触は２番目に危険度が高いと判断する。即ち、このような場合、直ちに表示装置１が転倒することはないが、ディスプレイ１１に対する接触を停止させる必要がある場合に該当する。
【００５９】
そのため、ステップＳ１３６では、警告選択部１３ｃはディスプレイ１１に警告文を表示させ、音声出力部１９から警告音を出力させる。
【００６０】
そして、接触強度が所定値以下（ステップＳ１３１：ＮＯ）であり、接触位置がディスプレイ１１の上部に該当しない場合（ステップＳ１３５：ＮＯ）、判定部１３ｂは、ディスプレイ１１に対する接触は最も危険度が低いと判断する。そのため、ステップＳ１３７では、警告選択部１３ｃはディスプレイ１１に警告文のみを表示させる。
【００６１】
そして、図４のステップＳ２９に進み、タイマーによる計時をクリアし、カウント数をクリアする。
【００６２】
以上、説明したように第２の実施形態では、第１の実施形態の効果に加えて、次の効果を奏する。即ち、ディスプレイ１１への接触の危険度の判断条件に、接触位置と接触強度とを用いることでより詳細に危険度を判別することができる。その結果、警告の選択を適切にし、より効果的な警告を行うことができる。
【００６３】
３．その他の実施形態：
本発明は様々な実施形態が存在する。
判定部１３ｂは、検出された接触強度が所定値を超える場合に、この接触が通常の操作に該当しないと判定してもよい。このような構成とすることで、大きな力でディスプレイに接触される場合に対しても、表示装置を保護することができる。
【００６４】
また、表示装置１は、様々なものが想定される。テレビジョン受像機、小型携帯端末、ＰＣを含む。
そして、ディスプレイ１１の上部に対する接触を危険度が高いとしたことは一例である。例えば、ディスプレイ１１の周縁部に対する接触を危険度が高いと判断させてもよい。
さらに、警告の方法としては、警告文や警告音を表示する以外にも様々な手法を用いることができる。
【００６５】
なお、本発明は上記実施例に限られるものでないことは言うまでもない。すなわち、上記実施例の中で開示した相互に置換可能な部材および構成等を適宜その組み合わせを変更して適用してもよい。
また、公知技術であって上記実施例の中で開示した部材および構成等と相互に置換可能な部材および構成等を適宜置換し、またその組み合わせを変更して適用してもよい。
そして、公知技術等に基づいて当業者が上記実施例の中で開示した部材および構成等の代用として想定し得る部材および構成等と適宜置換し、またその組み合わせを変更して適用してもよい。
【符号の説明】
【００６６】
１…表示装置、１１…ディスプレイ、１２…ディスプレイ・コントローラー、１３…制御部、１４…ネットワークＩ／Ｆ、１５…ＯＳＤ部、１６…入力Ｉ／Ｆ、１７…電源供給回路、１８…バス、１９…音声出力部、２０…タッチパネルモジュール、２１…タッチパネル、２２…タッチパネルコントローラー、２３…圧力検出部、３０…ＬＶＤＳケーブル
【図１】
2014016692.tif 000003
【図２】
2014016692.tif 000004
【図３】
2014016692.tif 000005
【図４】
2014016692.tif 000006
【図５】
2014016692.tif 000007
【図６】
2014016692.tif 000008
【図７】
2014016692.tif 000009
【図８】
2014016692.tif 000010